(57)【要約】【課題】製造時やメンテナンス時の工数を削減できる押ボタン装置を提供する。【解決手段】開口部２ａを有するパネル２と、開口部２ａから露出して手指の押圧により後方へ変位して後端面４ｄが傾斜する複数の操作部４ａと、複数の操作部４ａを一体に設けてパネル２の背面で支持される操作部材４と、各操作部４ａに対応して設けられる複数の係止部３ｂ及び支持部３ａを有して操作部４ａが係止部３ｂに当接して操作部４ａの後退量を規制するストッパ３とを備え、支持部３ａはパネル２の背面から後方に延びてパネル２に平行に弾性変形可能に形成されるとともに、係止部３ｂは支持部３ａの後端から前方に向けて屈曲して形成され、段差を設けて配置される複数の操作部４ａに対応して段差を有した複数の係止部３ｂを連結する連結部８を設けた。【選択図】図１
2007323979.tif 000002
【特許請求の範囲】
【請求項１】
開口部を有するパネルと、
前記開口部に挿通して手指の押圧により後方へ変位する複数の操作部を有し、前記パネルの背面で支持される操作部材と、
各前記操作部が露出する複数の孔部を有して前記開口部を覆うように前記パネルの前面に配されるカバーと、
各前記操作部に隣接して前記パネルの背面から後方に延びるとともに前記パネルに平行に弾性変形可能な支持部と、前記支持部の後端から前方に向けて傾斜した傾斜面を前面側及び背面側に設けた係止部とを有し、押圧される前記操作部が前記係止部に当接して前記操作部の後退量を規制するストッパと、
を備え、前記操作部の前記係止部に当接する端面が前記係止部に平行に傾斜するとともに、複数の前記操作部間に段差を設けて各前記操作部を配置し、前記操作部に対応して段差を有して配された複数の前記係止部を連結する連結部を設けたことを特徴とする押ボタン装置。
【請求項２】
開口部を有するパネルと、
前記開口部から露出して手指の押圧により後方へ変位する操作部を有し、前記パネルの背面で支持される操作部材と、
前記操作部に隣接して前記パネルの背面から後方に延びるとともに前記パネルに平行に弾性変形可能な支持部と、前記支持部の後端から前方に向けて傾斜した傾斜面を前面側に設けた係止部とを有し、押圧される前記操作部が前記係止部に当接して前記操作部の後退量を規制するストッパと、
を備え、複数の前記操作部間に段差を設けて各前記操作部を配置し、前記操作部に対応して段差を有して配された複数の前記係止部を連結する連結部を設けたことを特徴とする押ボタン装置。
【請求項３】
一の前記開口部に複数の前記操作部を挿通するとともに、各前記操作部が露出する複数の孔部を有して前記開口部を覆うカバーを前記パネルの前面に設けたことを特徴とする請求項２に記載の押ボタン装置。
【請求項４】
前記操作部の前記係止部に当接する端面が前記係止部に平行に傾斜することを特徴とする請求項３に記載の押ボタン装置。
【請求項５】
前記係止部の背面側に傾斜面を設けたことを特徴とする請求項２または請求項３に記載の押ボタン装置。
【請求項６】
請求項１〜請求項５のいずれかに記載の押ボタン装置を備えたことを特徴とする電子機器。
【発明の詳細な説明】
【技術分野】
【０００１】
本発明は、弾性支持されて手指の押圧により変位する操作部を備えた押ボタン装置及びそれを備えた電子機器に関する。
【背景技術】
【０００２】
従来の押ボタン装置は特許文献１に開示されている。この押ボタン装置は開口部を有するパネルの背面で操作部が弾性支持される。操作部は開口部から露出し、手指の押圧により後方に変位する。これにより、操作部の後方に設けたスイッチを操作可能になっている。
【０００３】
パネルの背面には後方に延びるストッパが設けられる。ストッパは先端を屈曲した係止部を備え、後方に変位する操作部が係止部に当接して係止される。これにより、操作部の過剰な後退が規制され、スイッチが保護される。
【０００４】
図６、図７は他の従来の押ボタン装置を背面から見た斜視図及び正面図を示している。押ボタン装置２０はパネル２に設けた開口部２ａから操作部４ａが露出する。操作部４ａは操作部材４の上部に形成され、操作部材４の下部には取付部４ｂが設けられる。パネル２の背面に突設されたピン２ａに取付部４ｂを嵌合して操作部材４がパネル２に取り付けられている。
【０００５】
図８は図７のＦ−Ｆ断面図である。操作部材４には取付部４ｂの直上に肉厚の薄い薄肉部４ｃが設けられる。このため、操作部材４は薄肉部４ｃで弾性変形して回動することができ、操作部４ａは手指の押圧によって前方に付勢されながら後退可能になっている。これにより、操作部４ａの後方に設けたスイッチ（不図示）を操作可能になっている。
【０００６】
図９は図８のＧ部詳細図を示している。パネル２の背面には操作部４ａの直上にストッパ３が設けられる。ストッパ３は後方に延びる支持部３ａを備え、支持部３ａの後端を屈曲した係止部３ｂが設けられる。後方に変位する操作部４ａは係止部３ｂに当接して係止される。これにより、操作部４ａの過剰な後退が規制され、スイッチが保護される。
【０００７】
また、成形加工の不良等によって製造工程やメンテナンス時に操作部材４を取り外す際には、ストッパ３を持ち上げて操作部材４が後方に引き抜かれる。これにより、操作部４ａと係止部３ｂとの干渉を回避し、操作部材４がパネル２から取り外される。
【０００８】
また、図１０は上記と同様の操作部を複数設けた押ボタン装置を背面から見た斜視図である。説明の便宜上、前述の図６〜図９と同様の部分には同一の符号を付している。押ボタン装置２１は操作部材４が複数の操作部４ａ（図３参照）を取付部４ｂで連結して一体化されている。複数の操作部４ａは段差を設けて異なる高さに配置されている。これにより、高さが異なって配置される複数のスイッチ（不図示）を操作することができる。
【特許文献１】特開２００５−２５９６２２号公報（第３頁−第６頁、第９図）
【発明の開示】
【発明が解決しようとする課題】
【０００９】
しかしながら、上記従来の押ボタン装置２１によると、成形加工の不良等によって操作部材４を取り外す際には、複数のストッパ３を同時に持ち上げて操作部材４が後方に引き抜かれる。このため、製造時やメンテナンス時に操作部材４を交換する際の作業が困難で工数がかかる問題があった。
【００１０】
本発明は、製造時やメンテナンス時の工数を削減できる押ボタン装置を提供することを目的とする。
【課題を解決するための手段】
【００１１】
上記目的を達成するために本発明の押ボタン装置は、
開口部を有するパネルと、
前記開口部に挿通して手指の押圧により後方へ変位する複数の操作部を有し、前記パネルの背面で支持される操作部材と、
各前記操作部が露出する複数の孔部を有して前記開口部を覆うように前記パネルの前面に配されるカバーと、
各前記操作部に隣接して前記パネルの背面から後方に延びるとともに前記パネルに平行に弾性変形可能な支持部と、前記支持部の後端から前方に向けて傾斜した傾斜面を前面側及び背面側に設けた係止部とを有し、押圧される前記操作部が前記係止部に当接して前記操作部の後退量を規制するストッパと、
を備え、前記操作部の前記係止部に当接する端面が前記係止部に平行に傾斜するとともに、複数の前記操作部間に段差を設けて各前記操作部を配置し、前記操作部に対応して段差を有して配された複数の前記係止部を連結する連結部を設けたことを特徴としている。
【００１２】
この構成によると、開口部を塞ぐカバーの孔部から露出する操作部は押圧により後退し、複数の操作部の後端がそれぞれ対応する各係止部に当接して操作部の後退が規制される。更に操作部が押圧されると傾斜した操作部の後端と傾斜した係止部の前面とが摺動し、支持部は操作部に近づく方向に弾性変形する。これにより、ストッパからの操作部の脱落が防止される。操作部材は後方からパネルの背面に取り付けられる。この時、係止部の背面を傾斜させると係止部に操作部の前面が当接し、支持部が操作部から離れる方向に弾性変形して開口部に操作部が配される。不良等により操作部材を交換する際には、連結部で連結される係止部を持ち上げて複数の操作部と係止部との干渉を回避し、操作部材がパネルから取り外される。また、パネルとストッパとを一体成形する際に、複数の操作部に跨る係止部及び連結部の前面が大きな開口部を進退する金型により形成される。
【００１３】
また本発明の押ボタン装置は、
開口部を有するパネルと、
前記開口部から露出して手指の押圧により後方へ変位する操作部を有し、前記パネルの背面で支持される操作部材と、
前記操作部に隣接して前記パネルの背面から後方に延びるとともに前記パネルに平行に弾性変形可能な支持部と、前記支持部の後端から前方に向けて傾斜した傾斜面を前面側に設けた係止部とを有し、押圧される前記操作部が前記係止部に当接して前記操作部の後退量を規制するストッパと、
を備え、複数の前記操作部間に段差を設けて各前記操作部を配置し、前記操作部に対応して段差を有して配された複数の前記係止部を連結する連結部を設けたことを特徴としている。
【００１４】
この構成によると、開口部から露出する操作部は押圧により後退し、係止部の後端が係止部に当接して操作部の後退が規制される。更に操作部が押圧されると操作部の後端と傾斜した係止部の前面とが摺動し、支持部は操作部に近づく方向に弾性変形する。これにより、ストッパからの操作部の脱落が防止される。不良等により操作部材を交換する際には、連結部で連結された係止部を持ち上げて複数の操作部と係止部との干渉を回避して操作部材がパネルから取り外される。
【００１５】
また本発明は、上記構成の押ボタン装置において、一の前記開口部に複数の前記操作部を挿通するとともに、各前記操作部が露出する複数の孔部を有して前記開口部を覆うカバーを前記パネルの前面に設けたことを特徴としている。この構成によると、パネルとストッパとを一体成形する際に、複数の操作部に跨る係止部及び連結部の前面が大きな開口部を進退する金型により形成される。
【００１６】
また本発明は、上記構成の押ボタン装置において、前記操作部の前記係止部に当接する端面が前記係止部に平行に傾斜することを特徴としている。この構成によると、係止部に当接した操作部が押圧されると、傾斜した操作部の後端と係止部とが摺動して支持部は操作部に近づく方向に弾性変形する。
【００１７】
また本発明は、上記構成の押ボタン装置において、前記係止部の背面側に傾斜面を設けたことを特徴としている。この構成によると、操作部材は後方からパネルの背面に取り付けられる際に背面側が傾斜した係止部に操作部の前面が当接し、支持部が操作部から離れる方向に弾性変形して開口部に操作部が配される。
【００１８】
また本発明の電子機器は、上記各構成の押ボタン装置を備えたことを特徴としている。
【発明の効果】
【００１９】
本発明によると、段差を設けて配置される複数の操作部にそれぞれ対応する係止部を連結部で連結したので、複数の操作部を一体に設けた操作部材を不良等により交換する際に連結部で連結される係止部を持ち上げて操作部材を取り外すことができる。従って、製造時やメンテナンス時の作業性を向上して工数を削減することができる。
【００２０】
また、操作部の後退量を規制する係止部の前面側が弾性変形可能な支持部の後端から前方に向けて傾斜するので、係止部に操作部が当接した後に大きな押圧力が加わっても操作部の後端と係止部の前面側とが摺動して支持部が操作部に近づく方向に弾性変形する。従って、簡単な構成でストッパからの操作部の脱落を防止し、部品点数を削減することができる。
【００２１】
また本発明によると、一の開口部に複数の操作部を挿通したので、大きな開口部を進退する金型により複数の操作部に跨る係止部及び連結部の前面を簡単に形成することができる。また、各操作部が露出する複数の孔部を有して開口部を覆うカバーをパネルの前面に設けたので、大きな開口部を覆って美感の低下を防止することができる。
【００２２】
また本発明によると、操作部の係止部に当接する端面が係止部に平行に傾斜するので、操作部の後端と係止部とが容易に摺動し、ストッパからの操作部の脱落をより確実に防止することができる。
【００２３】
また本発明によると、係止部の背面側に傾斜面を設けたので、パネルの背面から操作部を装着する際に操作部が係止部の傾斜した背面と摺動して支持部が操作部から離れる方向に弾性変形する。このため、ストッパを持ち上げる必要がなく製造工数を削減できる。
【発明を実施するための最良の形態】
【００２４】
以下に本発明の実施形態を図面を参照して説明する。図１、図２は、一実施形態の押ボタン装置を背面から見た斜視図及び正面図を示している。説明の便宜上、前述の図６〜図１０に示す従来例と同一の部分は同一の符号を付している。押ボタン装置１はＤＶＤ装置やＶＴＲ等の電子機器に搭載され、手指で押圧してスイッチ操作を行う。
【００２５】
押ボタン装置１はパネル２に設けた開口部２ａに複数の操作部４ａが挿通され、パネル２の前面には複数の孔部５ａを有するカバー５が配される。各孔部５ａから各操作部４ａが露出して操作部４ａが押圧可能になっている。複数の操作部４ａは図２の上下方向に異なる位置に段差を設けて配置されている。
【００２６】
操作部４ａは操作部材４の上部に形成され、操作部材４の下部には取付部４ｂが設けられる。取付部４ｂによって複数の操作部４ａを一体化した操作部材４が形成されている。操作部材４はパネル２の背面に突設されたピン２ａに取付部４ｂを嵌合してパネル２に取り付けられている。
【００２７】
図３、図４、図５は図２のＡ−Ａ断面図、Ｂ−Ｂ断面図及びＣ−Ｃ断面図である。操作部材４には取付部４ｂの直上に肉厚の薄い薄肉部４ｃが設けられる。このため、操作部材４は薄肉部４ｃで弾性変形して回動することができ、操作部４ａが手指の押圧によって前方に付勢されながら後退可能になっている。これにより、操作部４ａの後方に設けたスイッチ（不図示）を操作可能になっている。
【００２８】
パネル２の背面には各操作部４ａの直上にストッパ３が設けられる。ストッパ３は各操作部４ａの上方に隣接する位置から後方に延びる支持部３ａを備え、支持部３ａの後端から前方に向けて屈曲する係止部３ｂが設けられる。これにより、係止部３ｂは操作部４ａの移動方向に対して前面側及び背面側が傾斜した傾斜面が設けられる。支持部３ａ及び係止部３ｂは複数の操作部４ａにそれぞれ対応して複数設けられる。また、各係止部３ｂを連結する連結部８が各操作部４ａ間の段差方向に延びて設けられる。
【００２９】
支持部３ａは係止部３ｂよりも肉厚が薄く形成されている。これにより、支持部３ａはパネル２に平行な上下方向に容易に弾性変形することができる。また、操作部４ａの背面は上端部分が後方に突出し、後端面４ｄが係止部３ｂと平行に傾斜して形成されている。
【００３０】
パネル２は樹脂成形品から成り、ストッパ３及び連結部８と一体成形されている。パネル２の前面、上面及び底面を形成する金型は一部が突出して一の大きな開口部２ａを形成する。また、開口部２ａに挿入される金型の端面によって複数の係止部３ｂの前面及び連結部８の前面が形成されている。
【００３１】
操作部材４は後方からパネル２の背面のピン２ｂに取付部４ｂを嵌合して取り付けられる。この時、操作部４ａの前面が傾斜した係止部３ｂの背面側と摺動して支持部３ａが操作部４ａから離れる方向に弾性変形する。このため、ストッパ３を持ち上げる必要がなく押ボタン装置１の製造工数を削減できる。
【００３２】
手指の押圧により後方に変位する操作部４ａは後端面４ｄが係止部３ｂに当接して係止される。これにより、操作部４ａの過剰な後退が規制され、スイッチ（不図示）が保護される。また、係止部３ｂに操作部４ａの後端面４ｄが当接して大きな押圧力が加わると、操作部４ａと傾斜した係止部３ｂの前面側とが摺動してストッパ３が操作部４ａに近づくように弾性変形する。これにより、ストッパ３からの操作部４ａの脱落が防止される。
【００３３】
成形加工の不良等によって操作部材４を取り外す際には、連結部８で連結される係止部３ｂを持ち上げて操作部材４が後方に引き抜かれる。これにより、係止部３ｂと操作部４ａとの干渉を回避して操作部材４を取り外すことができる。
【００３４】
本実施形態によると、段差を設けて配置される複数の操作部４ａにそれぞれ対応する係止部３ｂを連結部８で連結したので、連結部８で連結される係止部３ｂを持ち上げて操作部材４を取り外すことができる。従って、複数のストッパ３をそれぞれ持ち上げる必要がなく、製造時やメンテナンス時の作業性を向上して工数を削減することができる。
【００３５】
また、操作部４ａの後退量を規制する係止部３ｂの前面側が弾性変形可能な支持部３ａの後端から前方に向けて傾斜するので、簡単な構成でストッパ３からの操作部４ａの脱落を防止することができる。加えて、従来のリブやクッション６（図９参照）を設ける必要がなく、部品点数を削減することができる。
【００３６】
尚、係止部３ｂの背面側は操作部４ａの移動方向に対して傾斜していないくてもよいが、傾斜すると上述したように容易に操作部材４をパネル２に装着することができる。また、操作部４ａの後端面４ｄを傾斜していなくても操作部４ａと係止部３ｂの前面側とが摺動して支持部３ａを弾性変形させることができる。しかし、操作部４ａの後端面４ｄを係止部３ｂに平行に傾斜すると、後端面４ｄと係止部３ｂの前面側とが容易に摺動する。これにより、ストッパ３からの操作部４ａの脱落をより確実に防止することができる。
【産業上の利用可能性】
【００３７】
本発明によると、弾性支持されて手指の押圧により変位する操作部を備えた押ボタン装置及びそれを備えたＤＶＤ装置やＶＴＲ等の電子機器に利用することができる。
【図面の簡単な説明】
【００３８】
【図１】本発明の実施形態の押ボタン装置を示す斜視図
【図２】本発明の実施形態の押ボタン装置を示す正面図
【図３】図２のＡ−Ａ断面図
【図４】図２のＢ−Ｂ断面図
【図５】図２のＣ−Ｃ断面図
【図６】従来の押ボタン装置を示す斜視図
【図７】従来の押ボタン装置を示す正面図
【図８】図７のＦ−Ｆ断面図
【図９】図８のＧ部詳細図
【図１０】他の従来の押ボタン装置を示す斜視図
【符号の説明】
【００３９】
１、２０、２１  押ボタン装置
２    パネル
２ａ  開口部
３    ストッパ
３ａ  支持部
３ｂ  係止部
４    操作部材
４ａ  操作部
４ｂ  取付部
５    カバー
５ａ  孔部
８    連結部
【図１】
2007323979.tif 000003
【図２】
2007323979.tif 000004
【図３】
2007323979.tif 000005
【図４】
2007323979.tif 000006
【図５】
2007323979.tif 000007
【図６】
2007323979.tif 000008
【図７】
2007323979.tif 000009
【図８】
2007323979.tif 000010
【図９】
2007323979.tif 000011
【図１０】
2007323979.tif 000012